(57)【要約】【課題】トルマリン単体よりも多大のマイナスイオンを発生するようにしたマイナスイオン発生体を提供するものである。【解決手段】トルマリンとゼオライトとの混合物の重量比を、１００：０＜トルマリン：ゼオライト≦９０．１５：９．８５とすることで、その混合物はトルマリン単体よりも多くのマイナスイオンを発生する。このマイナスイオン発生体を加えて成る材料を作れば、その材料を使用した製品はマイナスイオン効果を有する。【選択図】　　　図２
2004075792.tif 000002
【特許請求の範囲】
【請求項１】
トルマリンとゼオライの重量比が１００：０＜トルマリン：ゼオライト≦９０．１５：９．８５の範囲内で混合して成ることを特徴とするマイナスイオン発生体。
【請求項２】
トルマリンとゼオライトの重量比が１００：０＜トルマリン：ゼオライト≦９０．１５：９．８５の範囲内で混合して成る混合物を加えたことを特徴とする紙。
【請求項３】
トルマリンとゼオライトの重量比が１００：０＜トルマリン：ゼオライト≦９０．１５：９．８５の範囲内で混合して成る混合物を加えたことを特徴とする繊維。
【請求項４】
トルマリンとゼオライトの重量比が１００：０＜トルマリン：ゼオライト≦９０．１５：９．８５の範囲内で混合して成る混合物を加えたことを特徴とする合成樹脂材。
【請求項５】
トルマリンとゼオライトの重量比が１００：０＜トルマリン：ゼオライト≦９０．１５：９．８５の範囲内で混合して成る混合物を加えたことを特徴とするセラミック。
【請求項６】
トルマリンとゼオライトの重量比が１００：０＜トルマリン：ゼオライト≦９０．１５：９．８５の範囲内で混合して成る混合物を加えたことを特徴とするゴム。
【請求項７】
トルマリンとゼオライトの重量比が１００：０＜トルマリン：ゼオライト≦９０．１５：９．８５の範囲内で混合して成る混合物を加えたことを特徴とするガラス。
【請求項８】
トルマリンとゼオライトの重量比が１００：０＜トルマリン：ゼオライト≦９０．１５：９．８５の範囲内で混合して成る混合物を加えたことを特徴とする化粧品。
【請求項９】
トルマリンとゼオライトの重量比が１００：０＜トルマリン：ゼオライト≦９０．１５：９．８５の範囲内で混合して成る混合物を加えたことを特徴とする石鹸。
【請求項１０】
チューブ内に閉鎖空間を形成し、その閉鎖空間にトルマリンとゼオライトの重量比が１００：０＜トルマリン：ゼオライト≦９０．１５：９．８５の範囲内で混合して成るマイナスイオンを内蔵したことを特徴とする健康具。
【発明の詳細な説明】
【０００１】
【発明の属する技術分野】
本発明は、マイナスイオンを大量に発生するためのマイナスイオン発生体と、そのマイナスイオン発生体を含む材料と、そのマイナスイオン発生体を閉鎖空間に内蔵した健康具に関するものである。
【０００２】
【従来の技術】
従来から、トルマリン（電気石）には、疲労や、肩こりや、筋肉痛や、神経痛や、血行障害等を緩和する効果があることは知られている。これらの効果はトルマリンに発生するマイナスイオンと遠赤外線とによってもたらされると考えられている。
【０００３】
トルマリンの特性を利用するものとして、トルマリンに他の鉱石（１種類から数種類）を混合することで、トルマリンの効果を更に向上させる発明や考案が種々提供されている。トルマリンの効果を更に向上させる発明や考案は、トルマリンが有する多数の効果のうちのいずれかの効果が顕著なものであり、その他の効果も同様に保有するものと考えられている。
【０００４】
２種類の素材を混合する場合は一般に、互いの重量比は５０％を中心に、それぞれの側に数％から数１０％程度増加または減少する範囲となっている。それは、一方の素材の重量比が著しく少なくなると、その素材の働きが失われるからである。３種類以上の素材を混合する場合には、素材によっては重量比の偏りがあるが、主な素材の重量比は互いの均等な値を中心にそれぞれの側に数％から数１０％程度増加または減少する範囲となっている。
【０００５】
【発明が解決しようとする課題】
最近の技術の進歩により、マイナスイオン測定装置が開発された。本件発明者はそのマイナスイオン測定装置を使用して、トルマリン自体に発生するマイナスイオンの発生量や、トルマリンと種々の鉱石との混合物に発生するマイナスイオンの発生量を測定した。マイナスイオン測定装置の測定の度にマイナスイオンの発生量が変化するので、５回の測定を行ってその平均値を求めた。トルマリンのみから発生するマイナスイオンの発生量（平均値）は、平均１，５５７個／ｃｃであった。ここで、“ｃｃ”は空気１ｃｃを意味する。
【０００６】
トルマリンと種々の鉱石との混合物について、マイナスイオンの発生量を測定した結果、マイナスイオンの発生量は、トルマリン自体の平均１，５５７個／ｃｃを越えるものではなかった。即ち、トルマリンと種々の鉱石との混合物では一般に、トルマリンが有する多数の効果のうちの１つに顕著な効果を現すが、マイナスイオンの発生量がトルマリン自体より減少するものであった。このことから、常識的な範囲の混合比から成るトルマリンと種々の鉱石との混合物では、マイナスイオンの発生量に関しては、トルマリン自体の発生量を越えることができないことが分った。本件発明者は種々の実験の結果、トルマリン自体に発生するマイナスイオンの発生量よりも、格段に多いマイナスイオンを発生する混合物を突きとめた。
【０００７】
本発明は上記不具合を解消するもので、トルマリン単体よりも大量のマイナスイオンを発生するようにしたマイナスイオン発生体を提供することを目的とするものである。
【０００８】
本発明は更に、大量のマイナスイオンを発生するマイナスイオン発生体を含む材料や健康具を提供することを目的とするものである。
【０００９】
【課題を解決するための手段】
本発明に係るマイナスイオン発生体は、トルマリンとゼオライトの重量比が１００：０＜トルマリン：ゼオライト≦９０．１５：９．８５の範囲内で混合したものである。
【００１０】
本発明は、トルマリンとゼオライトの重量比が１００：０＜トルマリン：ゼオライト≦９０．１５：９．８５の範囲内で混合して成るマイナスイオン発生体を加えて、紙や、繊維や、合成樹脂材や、セラミックや、ゴムや、ガラスや、化粧品や、石鹸等の材料を作るものである。
【００１１】
本発明に係る健康具は、チューブ内に閉鎖空間を形成し、その閉鎖空間にトルマリンとゼオライトの重量比が１００：０＜トルマリン：ゼオライト≦９０．１５：９．８５の範囲内で混合して成るマイナスイオンを内蔵したものである。
【００１２】
【発明の実施の形態】
次に、本発明について説明する。
本発明に係るマイナスイオン発生体は、トルマリンとゼオライトとを混合した混合物であり、トルマリンとゼオライトとの特定の混合比率範囲において、マイナスイオンの発生量がトルマリン単体のマイナスイオン発生量よりも大量であることを実験の結果見出した。マイナスイオンの効果は多数あるが、特に、疲労を回復させ、心身をリラックスさせる働きがある。
【００１３】
ここで、マイナスイオン発生体の混合物であるトルマリンとゼオライトのそれぞれの重量％と、それらの重量％に対して発生するマイナスイオンの発生量（空気１ｃｃ当たりの個数）との関係を示す表を図１に示す。マイナスイオンの発生量は測定の度に変化するので、５回の測定の平均値をマイナスイオンの発生量として算出した。また、トルマリンは衝撃を受けるとマイナスイオンの発生量が変化（増加）するため、トルマリンとゼオライトとの混合物を静止させた状態で測定を行った。前述したように、トルマリンが１００％の場合、トルマリンから発生するマイナスイオンの発生量は、平均値が１，５５７個／ｃｃである。図１の表では、トルマリンが１００％（ゼオライトが０％）の場合を先頭に、トルマリンとゼオライトの混合物の重量％の合計を１００％として、ゼオライトの重量％が１％から１０％までの間の１％毎と、その後、ゼオライトの重量％が１２％，１５％，２０％，４０％，６０％，８０％，１００％の場合について、マイナスイオンの発生量を数値として示すものである。
【００１４】
図１の表によれば、ゼオライトの重量％が１％から９％までのマイナスイオンの発生量は、“３，４２２”，“４，１６０”……“２，４１２”となっており、トルマリンが１００％（ゼオライトが０％）のマイナスイオンの発生量１，５５７個／ｃｃよりも多い。ゼオライトの重量％が１０％の場合に、そのマイナスイオンの発生量は１，３８６個／ｃｃとなって、トルマリンが１００％の場合のマイナスイオンの発生量１，５５７個／ｃｃよりも少なくなる。更に、ゼオライトの重量％が、１２％，１５％，２０％，４０％，６０％，８０％，１００％と多くなるにつれて、マイナスイオンの発生量は、トルマリン１００％のマイナスイオンの発生量１，５５７個／ｃｃと比べて極端に少なくなる。
【００１５】
図２は、図１に基づいて作成したグラフであり、図１のマイナスイオン発生量の数値を順次連結したものである。トルマリン１００％（ゼオライト０％）では、マイナスイオンの発生量が１，５５７個／ｃｃ（図１）である。図２によれば、マイナスイオンの発生量が１，５５７個／ｃｃ以上となるのは、ゼオライトの重量％が０％（これは含まない）〜約９．８５％の間であることが分る。この結果、トルマリンとゼオライトとの混合物において、トルマリンとゼオライの重量比が１００：０＜トルマリン：ゼオライト≦９０．１５：９．８５の範囲で、トルマリン単体よりも多くのマイナスイオンを発生する。特に、ゼオライトの重量％が１％〜８．５％では、トルマリン単体よりも２倍以上のマイナスイオンを発生する。
【００１６】
大量のマイナスイオンを発生するマイナスイオン発生体をいろいろな種類の素材に加えることによって、マイナスイオンを発生する各種の材料とすることができる。マイナスイオン発生体を構成するトルマリンやゼオライトは、いろいろな種類の素材に加えることから、微粒子や粉体にするのが望ましいが、粒体であっても良い。マイナスイオン発生体を加えて成る各種の材料としては、紙や、繊維や、合成樹脂材や、セラミックや、ゴムや、ガラスや、化粧品や、石鹸が考えられる。
【００１７】
各種材料のうち、特に紙や繊維では、マイナスイオン発生体を加えた効果が顕著である。それは、紙や繊維では組織の中を空気が通過する空間を含んでいるため、空気に触れるマイナスイオン発生体が多くなり、マイナスイオンの発生量が多くなる。紙の種類としては洋紙も和紙も含まれるが、特に和紙の方が組織の中の空間が広いため、マイナスイオンの発生量が多い。マイナスイオン発生体を加えて成る紙を、壁紙や、ベッドシーツや、障子や、健康具（紙で作ったサポーター、ヘアバンド、ベルト、アイマスク、肘当て、膝当て等）や、その他の身の周りの生活品に使用すれば、それらの紙から発生するマイナスイオンの効果を、生活の場で得ることができる。また、ゼオライトが有する消臭効果も得ることができる。更に、マイナスイオン発生体を加えて成る繊維を、被服やベッドシーツ等として使用すれば、マイナスイオンが有する効果と、ゼオライトが有する消臭効果とを得ることができる。
【００１８】
紙や繊維と比べると、合成樹脂材や、セラミックや、ゴムや、ガラスや、化粧品や、石鹸は、組織内部に空気の空間は無い。しかし、マイナスイオン発生体を加えないものと比べると、マイナスイオン発生体を加えた合成樹脂材や、セラミックや、ゴムや、ガラスや、化粧品や、石鹸からは、マイナスイオンが発生するので、生活の場において知らない間に人体に良い影響が与えられる。
【００１９】
大量のマイナスイオンを発生するトルマリンとゼオライトの混合物は、健康具にも利用できる。図３は手に装着した健康具の一例を示す。健康具１０は、ゴム、シリコンまたは合成樹脂から成る伸縮可能なループ状のチューブ１２の内部空間１４を閉鎖空間とし、その内部空間１４にマイナスイオン発生体を収容したものである。ループ状のチューブ１２の内部空間１４にはマイナスイオン発生体であるトルマリンとゼオライトだけでなく空気も収容し、トルマリンとゼオライトの混合物がループ状のチューブ１２の内部空間１４を自由に移動できるようにする。即ち、トルマリンが空気に十分触れ、しかも移動可能にすることで、マイナスイオンの発生量を増加することができる。マイナスイオン発生体を内部空間１４に収容したループ状の健康具１０は、短い寸法の場合は図３に示すように手首に装着するが、長い寸法の場合には首に掛けたりあるいは胸と背中にたすき掛けのように装着したりすることができる。このように、健康具１０は体に直接付けたり、あるいは衣類の上から付けるようにするので、健康具１０内のマイナスイオン発生体から発生するマイナスイオンによって、マイナスイオンの効果を得ることができる。
【００２０】
図３に示す健康具１０では、チューブ１２の形状をループ状としたが、その形状を直線状のものにしても良い。本発明の健康具とは、図３に示すものの他に、サポーター、ヘアバンド、ベルト、アイマスク、肘当て、膝当て等を含むものとする。即ち、本発明の健康具は、チューブ１２内の閉鎖した内部空間１４にマイナスイオン発生体を収容したものを、サポーター、ヘアバンド、ベルト、アイマスク、肘当て、膝当て等の基礎部材に固定することによって、サポーター、ヘアバンド、ベルト、アイマスク、肘当て、膝当て等としたものも含むものである。
【００２１】
次に、本発明にマイナスイオン発生体を加えたベッドシーツ（紙または繊維）と、マイナスイオン発生体を閉鎖空間に収容した図３に示す健康具とを使用した実験結果について説明する。測定項目は、交感神経調整（Ｓｙｍｐａｔｈｅｔｉｃ　Ｒｅｇｕｌａｔｉｏｎ）と、副交感神経調整（Ｖａｇｕｓ　Ｒｅｇｕｌａｔｉｏｎ）と、緊張指数（Ｔｅｎｓｉｏｎ　Ｉｎｄｅｘ）の３項目である。ここで、交感神経とは、内臓諸器官や血管や皮膚や内分泌線等の働きを支配するものである。精神的に興奮した時には交感神経の働きが高まり、瞳孔は散大し、血圧は上昇し、心拍や呼吸が促進される。このため、交感神経はその測定数値が下降すればする程、精神的に安定した状態になる。一方、副交感神経とは、交感神経とは逆に働くもので、副交感神経の働きが高まると、瞳孔が縮小し、血圧が下降し、心拍や呼吸が抑制される。副交感神経の働きの高まりは、心身の疲労や消耗を回復した状態を示し、休息した時や精神的に平静な時にこの状態となる。このため、副交感神経は、その測定数値が上昇すればする程、人体が安定した状態になる。緊張指数（Ｔｅｎｓｉｏｎ　Ｉｎｄｅｘ）とは、文字通り緊張度合い（ストレス）を示すものであり、測定数値が下降すればする程、ストレスが解消（緩和）された状態を示すものである。
【００２２】
本発明に係るマイナスイオン発生体を加えた紙製のベッドシーツを４日間使用した計測結果について説明する。計測は、（１）ベッドシーツの使用前と、（２）ベッドシーツの使用後（４日後）の２つに分けて行った。交感神経調整の測定数値は、（１）が高く、（２）で低くなった。副交感神経調整の測定数値は、（１）が低く、（２）で高くなった。緊張指数の測定数値は、（１）が高く、（２）で低くなった。この計測結果から分るように、本発明に係るマイナスイオン発生体を加えた作った紙を人体に直接または間接的に接触させることによって、通常時よりも心身の疲労や消耗を回復することができる。なお、本発明に係るマイナスイオン発生体を加えた材料を紙とし、その効果を示したが、紙以外の材料においても、程度の差はあるが同様の効果を得ることができる。
【００２３】
次に、図３に示した健康具１０を装着した場合について説明する。計測結果は、（１）健康具装着前と、（２）健康具装着より３０分経過後と、（３）健康具装着より３時間経過後の３つに分けて行った。交感神経調整の測定数値は、（１）が高く、（２）でやや低くなり、（３）で低くなった。副交感神経調整の測定数値は、（１）が低く、（２）でやや高くなり、（３）でより高くなった。緊張指数の測定数値は、（１）が高く、（２）でやや低くなり、（３）で低くなった。この計測結果から分るように、本発明に係るマイナスイオン発生体を閉鎖空間内に収容した健康具１０を使用すると、健康具１０を使用しない場合と比べて、心身の疲労や消耗を回復することができる。
【００２４】
【発明の効果】
以上説明したように本発明に係るマイナスイオン発生体によれば、トルマリンとゼオライの重量比が、１００：０＜トルマリン：ゼオライト≦９０．１５：９．８５の範囲内で混合した混合物は、トルマリンよりも多くのマイナスイオンを発生する。このマイナスイオン発生体を加えた各種材料もマイナスイオンを発生するので、それらの各種材料を使用した各種製品はマイナスイオン効果を発揮することができる。また、マイナスイオン発生体を閉鎖空間に内蔵する健康具においてもマイナスイオンを発生するので、その健康具を装着すればマイナスイオン効果を得ることができる。
【図面の簡単な説明】
【図１】本発明に係るマイナスイオン発生体のマイナスイオンの発生量の一覧表である。
【図２】図１に基づいたマイナスイオンの発生量のグラフである。
【図３】本発明に係るマイナスイオン発生体を閉鎖空間に内蔵した健康具を人体に装着した状態を示す斜視図である。
【符号の説明】
１０　健康具
１２　チューブ
１４　内部空間
【図１】
2004075792.tif 000003
【図２】
2004075792.tif 000004
【図３】
2004075792.tif 000005